(57)【特許請求の範囲】
【請求項１】
便器本体の開口を有する便鉢内の臭気を脱臭する脱臭装置を備えた水洗式大便器において、
前記脱臭装置は、吸込み口と、吹出し口と、前記吸込み口から吸い込むことで臭気を含む空気を流通させる脱臭流路と、前記脱臭流路に設けていて流通する空気から臭気を脱臭する脱臭器と、前記脱臭流路に設けた送風機とを備えており、
前記便器本体の上面を基準面として、前記吸込み口と前記吹出し口は前記便器本体の便鉢に開口し、少なくとも一部が前記基準面より下側に設置されていることを特徴とする脱臭装置を備えた水洗式大便器。
【請求項２】
前記吹出し口から前記便器本体の開口内に空気がほぼ水平に流れるように吹き出されるようにした請求項１に記載された脱臭装置を備えた水洗式大便器。
【請求項３】
前記便器本体は、前記便器本体の開口に臨む部分に前記基準面より下側に位置する凹部が形成され、前記脱臭装置の脱臭流路は前記凹部内に設置されていて前記基準面より下側に位置すると共に、
前記脱臭流路の吹出し口が基準面より下側に設置されている前記吹出し口であるようにした請求項１または２に記載された脱臭装置を備えた水洗式大便器。
【請求項４】
前記脱臭流路の上側に局部を洗浄するためのノズルユニットが設置されている請求項３に記載された脱臭装置を備えた水洗式大便器。
【請求項５】
前記吸込み口は前記基準面より下側に設置されている請求項１から４のいずれか１項に記載された脱臭装置を備えた水洗式大便器。
【請求項６】
前記脱臭装置を設置するベースには下方に突出する凸部が形成されていて該凸部の上面に形成した凹陥部には前記脱臭装置が設置され、
前記便鉢に形成された前記凹部に前記凸部が嵌合している請求項３に記載された脱臭装置を備えた水洗式大便器。
【発明の詳細な説明】
【技術分野】
【０００１】
本発明は、便鉢に発生する臭気を脱臭する脱臭装置を備えた水洗式大便器に関する。
【背景技術】
【０００２】
従来、水洗式の大便器には、用便中の臭気を吸い込んで脱臭する脱臭装置を設置したものが知られている。このような便器の脱臭装置では、特許文献１に記載のように、大便器のローシルエット化に伴って便鉢の後部上面に局部洗浄装置と一体のユニットとして設けられるものが多い。このような脱臭装置は便鉢に向けて開口する吸込み口を有し、便鉢上に淀む空気を吸い込んで臭気を脱臭した後、吹出し口から外部に排出している。
【０００３】
脱臭装置は、便鉢に開口する吸込み口と便鉢の外に開口する吹出し口を脱臭ダクト等の脱臭流路によって連結し、脱臭流路には脱臭触媒を含む脱臭カートリッジと脱臭用のファンを設置している。便鉢内に臭気が発生すると、脱臭用のファンが作動して便鉢内の空気を吸込み口から脱臭流路に流通させて脱臭カートリッジに吸着させながら循環させることで臭気を効率よく脱臭させる。
【先行技術文献】
【特許文献】
【０００４】
【特許文献１】特開２００８−２９７７８５号公報
【発明の概要】
【発明が解決しようとする課題】
【０００５】
しかしながら、脱臭装置の吸込み口と吹き出し口は便鉢の開口の上側に設置されているため、吹き出し口からの吹き出し気流や吸込み口への吸込み気流はいずれも大きな傾斜角度を有しており、便鉢内での空気流と脱臭装置との間でスムーズな循環流路を形成できるとはいえなかった。
【０００６】
本発明は、このような課題に鑑みてなされたものであって、空気の流れをスムーズにして便鉢内の臭気を効率よく脱臭できるようにした脱臭装置を備えた水洗式大便器を提供することを目的とする。
【課題を解決するための手段】
【０００７】
本発明による脱臭装置を備えた水洗式大便器は、便器本体の開口を有する便鉢内の臭気を脱臭する脱臭装置を備えた水洗式大便器において、脱臭装置は、吸込み口と、吹出し口と、前記吸込み口から吸い込むことで臭気を含む空気を流通させる脱臭流路と、脱臭流路に設けていて流通する空気から臭気を脱臭する脱臭器と、前記脱臭流路に設けた送風機とを備えており、便器本体の上面を基準面として、吸込み口と吹出し口は便器本体の便鉢に開口し、少なくとも一部が基準面より下側に設置されていることを特徴とする。
本発明による水洗式大便器は、便鉢の上面を基準面として吸込み口と吹出し口は少なくとも一部が基準面より下側に設置されているため、便鉢の開口内に吸込み口と吹出し口が設置されており、吸込み口及び吹出し口を介して脱臭装置の脱臭流路と便鉢の開口内との間で効率よく空気流を循環させて空気流に含まれる臭気を脱臭装置で効率よく脱臭回収できる。
なお、吹出し口は脱臭流路の吹出し口でもよいし、例えば温風乾燥ユニット等の別部材の吹出し口等でもよい。
【０００８】
また、吹出し口から便器本体の開口内に空気がほぼ水平に流れるように吹き出すことが好ましい。
脱臭装置における空気の吸込み口及び吹出し口の少なくとも一部を基準面以下に設定することで、吹出し口から便鉢内に吹き出される吹き出し空気をほぼ水平に便鉢の開口内を流れるように調整できる。これによって、便鉢内を流れる空気流は吸込み口に流入する際に上下動を抑えて導入される。
【０００９】
また、便器本体は、便器本体の開口に臨む部分に基準面より下側に位置する凹部が形成され、脱臭装置の脱臭流路は凹部内に設置されていて基準面より下側に位置すると共に、脱臭流路の吹出し口が基準面より下側に設置されている前記吹出し口であるようにしてもよい。
便鉢の凹部に脱臭流路を設置することで基準面の下側に位置させることができるため、基準面の下側で脱臭流路内を流れる空気流が上下に移動せずに済むため、圧損を減らすことができる。
【００１０】
脱臭流路の上側に局部を洗浄するためのノズルユニットが設置されていてもよい。
脱臭装置の脱臭流路を下側に設置し、その上にノズルユニットを配設することで、脱臭流路を短くできて圧損を減らすことができる。
【００１１】
また、吸込み口は基準面より下側に設置されていてもよい。
吸込み口を基準面の下側に設置することで、吹出し口から便鉢内を旋回する吹き出し空気流を便鉢内に淀む臭気を巻き込んで吸込み口に導くことができて、空気流の循環効率と臭気の脱臭効率を向上できる。
【００１２】
また、脱臭装置を設置するベースには下方に突出する凸部が形成されていて該凸部の上面に形成した凹陥部には脱臭装置が設置され、便鉢に形成された凹部に凸部が嵌合していてもよい。
脱臭装置をベースの下方に突出する凸部の凹陥部内に設置して、この凸部を便鉢の開口の周縁部に形成した凹部に嵌合させることで、脱臭装置を便鉢内の基準面の下側に設置できる。
【発明の効果】
【００１３】
本発明による水洗式大便器では、脱臭装置の吸込み口と吹出し口は少なくとも一部が基準面より下側にあるため、脱臭装置の吸込み口から吹出し口までと便鉢の開口内との間で効率よく空気流を循環させて空気に含まれる臭気を脱臭装置で効率よく脱臭回収できる。
【図面の簡単な説明】
【００１４】
【図１】本発明の実施形態による局部洗浄装置を備えた大便器の斜視図である。
【図２】図１に示す大便器の便蓋、便座、そして局部洗浄装置のカバーを取り外した状態の斜視図である。
【図３】図２に示す局部洗浄装置において、ベース上の脱臭ユニットとノズルユニットを示す要部斜視図である。
【図４】大便器の便器本体を示す斜視図である。
【図５】図３に示す脱臭ユニットの拡幅部の吸込み口と吹出し口を示すもので，（ａ）は開口部を除いた拡幅部の要部正面図、（ｂ）は開口部を設置した拡幅部の要部正面図である。
【図６】図５（ａ）に示す脱臭ユニットの要部平面図である。
【図７】便鉢の凹部に嵌合したベースの凸部の上面側の凹陥部に設けた脱臭カートリッジとノズルユニットを示す縦断面図である。
【図８】脱臭ユニットにおける脱臭流路と便器本体の便鉢内における旋回流路とからなる空気の循環流路を示す大便器の要部平面図である。
【発明を実施するための形態】
【００１５】
以下、本発明の実施形態による水洗式大便器の脱臭装置を添付図面によって説明する。
図１乃至図８は本発明の実施形態による水洗式の大便器１の脱臭装置としての脱臭ユニット１３を示すものである。
図１及び図２は実施形態による局部洗浄装置３を備えた水洗式の大便器１を示すものであり、便器本体２の上面後部に局部洗浄装置３を備えている。局部洗浄装置３は、局部洗浄と温風乾燥と脱臭のための各種の機能部品を収納するケース５内に備えられている。ケース５に設けたカバー６には便器本体２上に設置した便座７と弁蓋８がそれぞれ開閉可能に取り付けられている。
図２において、便器本体２は、汚物を受ける便鉢１０と、便鉢１０の底部から下方に延びる図示しない排水管部を有する。便鉢１０内の上部内壁には洗浄水の旋回流を生成するためのリム通水路２５と、旋回流を排水管部に向けて落とし込む流れを形成する落とし込み流路等が形成されている。
【００１６】
局部洗浄装置３は、便鉢１０の開口１０ａを形成する上面１０ｂの後部に配置されたベース１１上に設置されていて、後述する局部洗浄ノズルを備えたノズルユニット１２、便鉢１０で発生する臭気を脱臭するための脱臭ユニット１３、洗浄後の局部を温風乾燥するための温風乾燥ユニット１４等を備えている。更に局部洗浄装置３は、ノズルユニット１２に温水を供給するための温水供給ユニット１５や各ユニットの駆動を制御するための制御部や電源基板等を備えている。
【００１７】
図２及び図３に示す局部洗浄装置３において、便器本体２における便鉢１０の開口１０ａに臨むベース１１の先端側中央にノズルユニット１２が設置されている。ノズルユニット１２は一対の局部洗浄ノズルとして第一の洗浄ノズル１６と第二の洗浄ノズル１７が並列に配設され、しかも斜め下向きに設置されている。第一の洗浄ノズル１６は肛門洗浄用のノズルであり、第二の洗浄ノズル１７はビデ用洗浄ノズルである。第一及び第二の洗浄ノズル１６，１７はそれぞれ下方に位置する先端部に洗浄水を吐出する吐出孔を有している。
第一及び第二の洗浄ノズル１６，１７は配管を通してベース１１に設置した温水供給ユニット１５に連結されている。温水供給ユニット１５は図示しない制御部の指令により設定温度に調温された温水を第一及び第二の洗浄ノズル１６，１７に選択的に供給するようになっている。
【００１８】
また、図３及び図５に示すようにベース１１における便鉢１０の開口１０ａに臨む前面中央には下方に延びて拡幅された拡幅部２１を有しており、拡幅部２１の中央には一対の開口部１８が設けられている。第一及び第二の洗浄ノズル１６，１７は拡幅部２１の各開口部１８を通って前方に突出可能とされている。拡幅部２１において一対の開口部１８の両側に臭気を含む空気を吸引する吸込み口１９と脱臭した空気を吐出する吹出し口２０が形成されている。
【００１９】
また、拡幅部２１の前面側には一対の開口部１８と左右の吸込み口１９及び吹出し口２０を開閉操作するためのシャッター２２が設けられている（図３参照）。シャッター２２は略長方形板状を呈しており、その裏面は図示しない筒部に収納されたスプリングで拡幅部２１側に引きつけられるように保持されていて、第一の洗浄ノズル１６と第二の洗浄ノズル１７によって上向きと下向きに回動可能とされている。
即ち、第一の洗浄ノズル１６が下方に突出した場合にはシャッター２２の裏面に形成した図示しない一の突部を押してシャッター２２の内面を上向きに回動して上開き開放状態になる。第二の洗浄ノズル１７が下方に突出した場合にはシャッター２２の裏面に形成した図示しない他の突部を押してシャッター２２の内面を下向きに回動して下開き開放状態になる。
第一の洗浄ノズル１６による洗浄時には、第二の洗浄ノズル１７を下方に突出させてシャッタ−２２を下開き開放状態にしてから第一の洗浄ノズル１６をシャッター２２より前方に移動させた状態で、第一の洗浄ノズル１６による洗浄を行う。また、第二の洗浄ノズル１７による洗浄を行う場合は、第二の洗浄ノズル１７を下方に突出させてシャッター２２を下開き開放状態にし、更に第二の洗浄ノズル１７をシャッター２２より前方に移動させた状態で洗浄を行う。
【００２０】
また、局部洗浄装置３を載置するベース１１は略平板状であるが、その先端側中央において、拡幅部２１からベース１１の先端側の部分にかけて下に凸をなす所定幅の凸曲面形状の凸部２３を形成している。そのため、凸部２３の上面側は凹陥部２３ａを形成する。
一方、図４に示す便器本体２において、便鉢１０の上面１０ｂは平面形状とされており、上面１０ｂのベース１１を載置する載置部１０ｃの開口１０ａに臨む周縁部が所定幅に亘って下方に凹んだ凹部２４を形成している。そして、便鉢１０の載置部１０ｃ上にベース１１を設置して凹部２４にベース１１の凸部２３が着座して嵌合することになる。
【００２１】
ここで、図５において、便器本体２の載置部１０ｃは上面１０ｂに含まれていて同一平面をなすものであり、この平面は「陶器０面」という基準面Ｌを示すものとする。しかも、ベース１１の拡幅部２１において、第一及び第二の洗浄ノズル１６，１７が貫通して進退する一対の開口部１８とその両側の吸込み口１９及び吹出し口２０は、その全部または一部高さ部分が基準面Ｌより下側に位置するものとする。
なお、図５（ａ）は一対の開口部１８を有する枠部を除いた拡幅部２１を示すものであり、同図（ｂ）は開口部１８の枠部を拡幅部２１に設置した状態を示すものである。図５に示す例では、吸込み口１９は全体が基準面Ｌ以下にあり、吹出し口２０は一部を残して基準面Ｌ以下にあるものとする。
【００２２】
また、図４に示す便鉢１０の開口１０ａ内において、上面１０ｂの周縁部の下側周面に沿ってリム通水路２５が形成されている。リム通水路２５は便鉢１０の内側面に沿って周回するように形成された溝状のリム状通路であり、便鉢１０を洗浄するための洗浄水の旋回流を生成するものである。
【００２３】
図３及び図７に示すように、ベース１１の先端側中央の凸部２３上面の凹陥部２３ａにおいて、ノズルユニット１２の下側には脱臭ユニット１３が設置されている。脱臭ユニット１３は、図６に示すように、拡幅部２１に形成した吸込み口１９と吹出し口２０とを連結する例えば略Ｕ字状またはコの字状の脱臭ダクト２６と、脱臭ダクト２６の途中に設けられた送風機としてのファン２７と、ファン２７の上流側に設置された脱臭器である脱臭カートリッジ２８と、ファン２７の下流側に設置された除菌ユニット２９とを備えている。
脱臭ダクト２６は脱臭流路を構成する空気流の通路であり、その上流端に設けた吸込み口１９は便鉢１０の開口１０ａに臨んでいて、臭気を含む空気を吸入する。
【００２４】
図６において、脱臭ユニット１３の脱臭ダクト２６の流路における途中部分に脱臭カートリッジ２８を設置している。脱臭カートリッジ２８は脱臭用の触媒を内蔵しており、通過する空気中に含まれる臭気を取り除く脱臭部３１を備えている。本実施形態では、脱臭カートリッジ２８は、活性炭等を触媒とする吸着型の脱臭剤からなる脱臭部３１と、その外周面を覆っていて防水性で弾性を有する例えばスポンジ等からなる薄層のカバー部材３２とを備えている。
脱臭部３１は内部に活性炭等の脱臭剤が収納されている。或いは、別の脱臭剤として光触媒のように紫外線を照射することによって物質を分解する機能を備えた分解型のものを採用してもよい。脱臭部３１は通気を確保するために外周面や内面をメッシュ状に形成している。カバー部材３２のスポンジは例えば防水性の高い独立気泡タイプの帯状部材であり、脱臭部３１の側面に巻かれている。
【００２５】
しかも、脱臭カートリッジ２８はカバー部材３２の一部、例えば脱臭部３１の上面側の一部を切除した切欠部３３を有している。或いは、切欠部３３はカバー部材３２の側面または底面に形成してもよい。この切欠部３３に流入する空気は脱臭部３１をバイパスして下流側に流れるバイパス通路を構成する。切欠部３３は、カバー部材３２の所定幅の厚み分を空気の流れ方向に沿って切除している。
そのため、脱臭ダクト２６に流れる空気は、脱臭カートリッジ２８でその多くが脱臭部３１を通過して脱臭され、一部の空気は切欠部３３のバイパス通路を通過して下流側に流れる。切欠部３３によって、脱臭カートリッジ２８での通気性が向上し、吸込み口１９から流入して脱臭ダクト２６を流れる空気の風速と風量を増大させることができる。
或いは、脱臭カートリッジ２８に切欠部３３等のバイパス通路を設けないで、空気流の全量が脱臭カートリッジ２８の脱臭部３１やカバー部材３２を通過するようにしてもよい。
【００２６】
また、除菌ユニット２９は除菌イオンを発生させて浮遊菌の繁殖を抑制し、除菌するものである。具体的には、空気を電離させてプラスイオンとマイナスイオンを生じさせて、そのプラスイオンとマイナスイオンにより浮遊菌を取り込んでこれを不活化させるものである。
また、図６に示す脱臭ダクト２６において、脱臭カートリッジ２８の上流側には着脱可能なフィルター３４が設置されている。フィルター３４は、吸込み口１９から空気と共に流入する粉塵等の異物等を集塵可能であり、シャッター２２を取り外した状態で、拡幅部２１から着脱可能としている。
【００２７】
そして、脱臭ユニット１３は、脱臭流路を構成する脱臭ダクト２６と脱臭カートリッジ２８とがベース１１の凸部２３上面の凹陥部２３ａ内に設置されていて、基準面Ｌの下側に設置されているものとする。ファン２７と除菌ユニット２９は基準面Ｌよりも上側に設置されている。
【００２８】
脱臭ユニット１３における吸込み口１９での空気の吸込みに当たっては、便鉢１０の下部に淀む臭気を含む空気を脱臭ダクト２６に吸入して脱臭を行い、吹出し口２０から吹き出される脱臭後の空気は略水平方向に吹出して、便鉢１０内のリム通水路２５に沿って略水平方向に旋回して再び吸込み口１９に導かれることになる。
そのため、脱臭ダクト２６内の脱臭流路と便鉢１０内での空気の旋回流路とで、空気を繰り返し循環させる循環流路が形成される。図３及び図７に示す局部洗浄装置３において、脱臭ユニット１３における脱臭ダクト２６及び脱臭カートリッジ２８の上部にはノズルユニット１２が設置されている。
【００２９】
図３において、脱臭ユニット１３に隣接する位置には温風乾燥ユニット１４が設置されている。温風乾燥ユニット１４は温風発生装置３５と温風ダクト３８とを備えている。温風発生装置３５は温風ダクト３８の上流側に設けた送風ファン３６と、温風ダクト３８内に配設されたヒータ３７とを備えている。温風ダクト３８は拡幅部２１に形成された空気の吸込み口１９の上部に形成した温風送風口４１に連通している(図５（ｂ）参照)。
温風乾燥ユニット１４は、ヒータ３７で暖められた温風発生装置３５の温風が温風ダクト３８を流通して温風送風口４１から吹き出されて局部を乾燥させる。なお、温風乾燥ユニット１４で生成した温風を温風ダクト３８を通して吹出し口２０に連通して吹き出すようにしてもよい。或いは吹出し口２０を温風ダクト３８の吹出し口として形成してもよい。
【００３０】
本実施形態による大便器１の脱臭ユニット１３は上述した構成を備えており、次に脱臭ユニット１３による脱臭方法について説明する。
大便器１の脱臭時において、第二の洗浄ノズル１７を下方に突出させてシャッタ−２２を下開き開放状態にしてから、第一の洗浄ノズル１６が駆動して拡幅部２１の開口部１８を通して斜め下方に突出することでシャッター２２より突出させると共に、脱臭ユニット１３のファン２７を駆動する。その際、シャッター２２は内面が下を向く下開き開放状態であるため、臭気を含む空気の流れが上方にいかないで吸込み口１９から流入するように調整している。
ここで、脱臭ユニット１３の脱臭ダクト２６と脱臭カートリッジ２８はベース１１の凸部２３上面の凹陥部２３ａ内に設置されていて、吸込み口１９と共に基準線Ｌの下側に位置し、吹出し口２０はその一部が基準線Ｌの下側に位置している。ファン２７の駆動によって吹出し口２０から吹き出した空気は、内面上部に形成されたリム通水路２５に向けて水平方向に吹き出される。
【００３１】
そのため、図８に示すように、脱臭時に吹出し口２０から水平方向に吹き出した空気は便鉢１０内をリム通水路２５に沿って横旋回して局部洗浄装置３側に戻ってくる。即ち、便鉢１０内において破線で示すような旋回流路が形成される。吸込み口１９は基準線Ｌの下部に位置するため、便鉢１０内を水平に旋回する空気は便鉢１０内における淀んだ臭気を巻き込んで上下方向に変位することなく直接吸込み口１９に導かれる。そして、臭気を含む空気流は、脱臭ユニット１３におけるファン２７の吸引力によって脱臭ダクト２６内に流入する。
【００３２】
図６に示すように、脱臭ダクト２６内を流れる臭気を含む空気の多くは、脱臭カートリッジ２８内のカバー部材３２で覆われた脱臭部３１を流れることで臭気が吸着される。また、一部の空気は脱臭カートリッジ２８の切欠部３３からなるバイパス通路を流れることで脱臭カートリッジ２８による流動抵抗を受けることなく高速で下流側に流れる。
これにより、吸込み口１９から脱臭ダクト２６内に流入する全体の空気流の風速を高速化することができるから、脱臭ダクト２６内の脱臭カートリッジ２８で脱臭できる空気の循環速度を速くすることができて、吹出し口２０からの空気の吹き出し流量も高速化できる。そのため、便鉢１０内のリム通水路２５での旋回流も高速化できる。
なお、脱臭カートリッジ２８に切欠部３３のバイパス通路を設けない場合には、空気流の全量が脱臭部３１やカバー部材３２を通過して脱臭される。
こうして脱臭ユニット１３における脱臭ダクト２６内の空気の循環流速と便鉢１０内のリム通水路２５に沿った旋回流速を速めて、脱臭カートリッジ２８での臭気をより速く脱臭し、大便器１とその周辺のトイレ空間の臭気の換気率を向上できる。
【００３３】
上述のように本実施形態による水洗式の大便器１の脱臭ユニット１３によれば、脱臭ダクト２６と脱臭カートリッジ２８とがベース１１の下方に突出する凸部２３の凹陥部２３ａ内に設置されて基準面Ｌの下側に位置し、吸込み口１９と一部の吹出し口２０も基準線Ｌの下側に位置するため、吹出し口２０から吹き出される空気流は水平方向に流出して便鉢１０の開口１０ａ内のリム通水路２５に沿って旋回して空気流の循環速度と効率を向上できる。
しかも、便鉢１０内に淀んだ臭気を空気流によって巻き込んで上下方向に変位することなく吸込み口１９に直接導かせることができて、空気流の圧損が小さく臭気の吸い込み性能を向上させることができる。
【００３４】
そして、便鉢１０内で開口１０ａ内のリム通水路２５に沿って旋回する空気流によって便鉢１０内に淀んだ臭気を効率よく巻き込んで脱臭ユニット１３の吸込み口１９に流入させて循環できるため、効率よく便鉢１０内の臭気を脱臭カートリッジ２８で回収して臭気の漏れを低減できる。
更に、本実施形態では、脱臭ユニット１３の脱臭流路を構成する脱臭ダクト２６と脱臭カートリッジ２８をベース１１の凹陥部２３ａ内に設置して、下側に突出する凸部２３を便鉢１０の上面１０ｂの凹部２４に設置したことで、脱臭流路を短くできる。しかも、脱臭ダクト２６の上部にノズルユニット１２を設置したことで、局部洗浄装置３を小型化できて省スペース化に寄与する。
また、脱臭ユニット１３の脱臭カートリッジ２８に切欠部３３のバイパス通路を設けたことで脱臭ダクト２６内の風速と風量を増大できるため、この点でも脱臭効率を向上できる。
【００３５】
なお、本発明による脱臭ユニット１３を備えた水洗式の大便器１は、上述した実施形態に限定されるものではなく、本発明の要旨を逸脱しない範囲で適宜の変更や置換等が可能である。以下に、本発明の変形例等について説明するが、上述した実施形態で説明した部品や部材等と同一または同様なものについては同一の符号を用いて説明を省略する。
【００３６】
例えば、上述した実施形態では拡幅部２１に設けた吹出し口２０の一部を基準面Ｌの下側に設置したが、吸込み口１９と同様に全体を基準面Ｌの下側に位置させてもよい。この場合には、吹出し口２０から便鉢１０内のリム通水路２５上に空気を一層水平に吹き出すことができるので、循環流路を流れる吹き出し空気を一層スムーズに吸込み口１９に循環させることができる。
【００３７】
或いは、脱臭ダクト２６と脱臭カートリッジ２８、そして吸込み口１９の一部が基準面Ｌより下側に設置されていてもよい。この場合でも、吹出し口２０での空気の吹き出し気流や吸込み口１９での臭気を含む空気の吸い込み気流の一部が水平で残りの傾斜角度が小さく、従来技術と比較して便鉢１０内での気流の循環効率を向上させて臭気の吸込みと脱臭効率を向上させることができる。
また、上述した実施形態では、吹出し口２０を脱臭流路に形成された吹出し口としたが、これに代えて、例えば温風乾燥ユニット１４の温風ダクト３８の吹出し口等の別部材の吹出し口として構成してもよい。
【符号の説明】
【００３８】
１  大便器
１０  便鉢
１０ａ  開口
１０ｂ  上面
１１  ベース
１２  ノズルユニット
１３  脱臭ユニット
１６  第一の洗浄ノズル
１７  第二の洗浄ノズル
１９  吸込み口
２０  吹出し口
２１  拡幅部
２３  凸部
２４  凹部
２６  脱臭ダクト
２７  ファン
２８  脱臭カートリッジ
３１  脱臭部
Ｌ  基準面
【図１】
0006416715.tif 000002
【図２】
0006416715.tif 000003
【図３】
0006416715.tif 000004
【図４】
0006416715.tif 000005
【図５】
0006416715.tif 000006
【図６】
0006416715.tif 000007
【図７】
0006416715.tif 000008
【図８】
0006416715.tif 000009